(57)【特許請求の範囲】
【請求項１】
放電空間を挟んで対向する一対の基板の一方の基板の内面側に、行方向に延び列方向に並設されてそれぞれ表示ラインを形成する複数の行電極対とこの行電極対を被覆する誘電体層が設けられ、他方の基板の一方の基板と対向する側に、列方向に延び行方向に並設されて行電極対と交差する位置において放電空間にそれぞれ単位発光領域を構成する複数の列電極が設けられたプラズマディスプレイパネルにおいて、
前記行電極対を構成する各行電極が、行方向および一方の基板に対して平行方向に延びる電極本体部と、この電極本体部に接続されて電極本体部から行電極対を構成している他方の行電極に向かって列方向および一方の基板に対して平行方向に延びる透明電極部とを有し、
前記一方の基板の内面側の列方向に隣接する単位発光領域の間の非表示領域に対向する部分に、一方の基板に対して平行で各行電極の透明電極部が含まれる面よりも一方の基板側に位置する凹部が形成され、
隣接する前記行電極対の間において背中合わせに位置する行電極の互いに対向する電極本体部が、凹部の両側の側面に沿ってこの側面に接した状態でそれぞれ透明電極部に対して一方の基板の厚み方向に立ち上がっている、
ことを特徴とするプラズマディスプレイパネル。
【請求項２】
前記一方の基板の内面側の各単位発光領域に対向する部分に、誘電体層との間に位置する中間層が形成されて、前記凹部が、列方向に隣接する中間層の間の隙間によって構成されるとともに、この中間層上に各行電極対が形成されている請求項１に記載のプラズマディスプレイパネル。
【請求項３】
前記凹部が、一方の基板の内面部分が切削されることによって形成される請求項１に記載のプラズマディスプレイパネル。
【請求項４】
前記凹部の両側面が、それぞれ一方の基板の厚み方向に対してほぼ平行向きに延びている請求項１に記載のプラズマディスプレイパネル。
【請求項５】
前記凹部の両側の側面が、一方の基板内にくさび状に切り込まれる方向に延びている請求項１に記載のプラズマディスプレイパネル。
【発明の詳細な説明】
【０００１】
【発明の属する技術分野】
この発明は、面放電方式交流型プラズマディスプレイパネルのパネル構造に関する。
【０００２】
【発明が解決しようとする課題】
現在、大型でかつ薄型のカラー画面表示装置として、ガス放電によるマトリクス表示方式のＡＣ型プラズマディスプレイパネル（以下、ＰＤＰという）が商品化されており、家庭などへの普及が図られている。
【０００３】
図６ないし８は、この面放電方式交流型プラズマディスプレイパネルの従来の構成を模式的に表す図面であって、図６はこの従来の面放電方式交流型プラズマディスプレイパネルの正面図、図７はこの図６のＶ−Ｖ線における断面図、図８は図６のＷ−Ｗ線における断面図である。
【０００４】
この図６ないし８において、プラズマディスプレイパネル（以下、ＰＤＰという）の表示面となる前面ガラス基板１側には、その裏面に、複数の行電極対（Ｘ’，Ｙ’）と、この行電極対（Ｘ’，Ｙ’）を被覆する誘電体層２と、この誘電体層２の裏面を被覆するＭｇＯからなる保護層３が順に設けられている。
【０００５】
各行電極Ｘ’，Ｙ’は、それぞれ、幅の広いＩＴＯ等の透明導電膜からなる透明電極Ｘａ’，Ｙａ’と、その導電性を補う幅の狭い金属膜からなるバス電極Ｘｂ’，Ｙｂ’とから構成されている。
【０００６】
そして、行電極Ｘ’とＹ’とが放電ギャップｇ’を挟んで対向するように列方向に交互に配置されており、各行電極対（Ｘ’，Ｙ’）によって、マトリクス表示の１表示ライン（行）Ｌが構成されている。
【０００７】
一方、放電ガスが封入された放電空間Ｓ’を介して前面ガラス基板１に対向する背面ガラス基板４には、行電極対Ｘ’，Ｙ’と直交する方向に延びるように配列された複数の列電極Ｄ’と、この列電極Ｄ’間にそれぞれ平行に延びるように形成された帯状の隔壁５と、この隔壁５の側面と列電極Ｄ’を被覆するそれぞれ赤（Ｒ），緑（Ｇ），青（Ｂ）の蛍光材料によって形成された蛍光体層６とが形成されている。
【０００８】
そして、各表示ラインＬにおいて、放電空間Ｓ’が、列電極Ｄ’と行電極対（Ｘ’，Ｙ’）が交差する部分ごとに隔壁５によって区画されることにより、それぞれ単位発光領域である放電セルＣ’が形成されている。
【０００９】
上記の面放電方式交流型ＰＤＰにおける画像の形成は、以下のようにして行われる。
【００１０】
すなわち、リセット放電を行うリセット期間の後のアドレス期間に、各放電セルＣ’において行電極対（Ｘ’，Ｙ’）の一方の行電極（この例では行電極Ｙ’）と列電極Ｄ’との間で選択的に放電（アドレス放電）が行われ、このアドレス放電によって、発光セル（誘電体層２に壁電荷が形成されている放電セル）と非発光セル（誘電体層２に壁電荷が形成されていない放電セル）とが、表示する画像に対応してパネル面に分布される。
【００１１】
そして、このアドレス期間の後、全表示ラインＬにおいて一斉に、各行電極対の行電極Ｘ’とＹ’に対して交互に放電維持パルスが印加され、この放電維持パルスが印加される毎に、発光セルにおいて、誘電体層２に形成された壁電荷により、行電極Ｘ’とＹ’間で放電（維持放電）が発生される。
【００１２】
これによって、発光セルにおける維持放電により紫外線が発生され、各放電セルＣ’内の赤（Ｒ），緑（Ｇ），青（Ｂ）の蛍光体層６がそれぞれ励起されて発光することにより、表示画像が形成される。
【００１３】
上記のような行電極Ｘ’とＹ’が列方向に交互に配置されている構成の三電極面放電方式交流型ＰＤＰにおいては、駆動時に、隣接する行電極対（Ｘ’，Ｙ’）の互いに背中合わせに位置する行電極Ｘ’とＹ’の間（バス電極Ｘｂ’とＹｂ’の間）に電位差が生じ、さらに、この非表示領域部分に静電容量が形成される。
【００１４】
このように、背中合わせに位置するバス電極Ｘｂ’とＹｂ’の間に電位差が生じると、このバス電極Ｘｂ’とＹｂ’の間で不要な面放電が発生するとともにこの表示ラインＬ間の非表示領域部分に形成される静電容量によって、不要な消費電力が増大する。
【００１５】
このような表示ラインＬ間の非表示領域部分において発生する不要な消費電力を低減するためには、背中合わせに位置するバス電極Ｘｂ’とＹｂ’の間隔を十分に大きく設定しておく必要がある。
【００１６】
しかしながら、背中合わせに位置するバス電極Ｘｂ’とＹｂ’の間隔を大きくすると、ＰＤＰの定められている表示面積のなかで非表示領域部分の面積が広がることになり、表示ラインＬの数を同じに保とうとすると、その分、各放電セルＣ’の開口面積が減少して輝度が低下してしまうという問題が発生し、反対に各放電セルＣ’の開口面積を保とうとすると、表示ラインＬが減少して画像の高精細化が図れなくなるという問題が発生する。
【００１７】
この発明は、上記のような従来の面放電方式交流型プラズマディスプレイパネルにおける問題点を解決するために為されたものである。
【００１８】
すなわち、この発明は、表示ライン間の非表示領域部分において発生する不要な消費電力を低減するとともに、表示ラインの減少や輝度の低下を防止することが出来る面放電方式交流型プラズマディスプレイパネルを提供することを目的としている。
【００１９】
【課題を解決するための手段】
第１の発明によるプラズマディスプレイパネルは、上記目的を達成するために、放電空間を挟んで対向する一対の基板の一方の基板の内面側に、行方向に延び列方向に並設されてそれぞれ表示ラインを形成する複数の行電極対とこの行電極対を被覆する誘電体層が設けられ、他方の基板の一方の基板と対向する側に、列方向に延び行方向に並設されて行電極対と交差する位置において放電空間にそれぞれ単位発光領域を構成する複数の列電極が設けられたプラズマディスプレイパネルにおいて、前記行電極対を構成する各行電極が、行方向および一方の基板に対して平行方向に延びる電極本体部と、この電極本体部に接続されて電極本体部から行電極対を構成している他方の行電極に向かって列方向および一方の基板に対して平行方向に延びる透明電極部とを有し、前記一方の基板の内面側の列方向に隣接する単位発光領域の間の非表示領域に対向する部分に、一方の基板に対して平行で各行電極の透明電極部が含まれる面よりも一方の基板側に位置する凹部が形成され、隣接する前記行電極対の間において背中合わせに位置する行電極の互いに対向する電極本体部が、凹部の両側の側面に沿ってこの側面に接した状態でそれぞれ透明電極部に対して一方の基板の厚み方向に立ち上がっていることを特徴としている。
【００２０】
この第１の発明によるプラズマディスプレイパネルは、行電極対を構成する行電極の縁部分が、行電極対が形成されている一方の基板の内面側に形成された凹部内においてこの凹部の側面に沿って、それぞれ、行電極の他の部分に対して一方の基板の厚さ方向に立ち上がった状態で形成されていることにより、この凹部を介して互いに対向する行電極の縁部の間の間隔、すなわち、隣接する行電極対の間において背中合わせに位置する行電極の互いに対向する電極本体部の間の間隔が、同じ数の表示ラインおよび同じ開口面積の単位発光領域を有する従来のＰＤＰと比較して、行電極の電極本体部が立ち上がっている分だけ広がっている。
【００２１】
このため、行電極対の一方の行電極と列電極との間で行われるアドレス放電の後、行電極対の行電極に交互に印加される放電維持パルスによって行電極間において維持放電が発生される際に、隣接する行電極対間において背中合わせに位置する行電極の電極本体部間に電位差が生じても、互いに対向する行電極の電極本体部の間の間隔が広がっていることによって、この行電極の電極本体部間に放電が発生するのが防止され、さらに、この行電極の電極本体部間に形成される静電容量も減少される。
【００２２】
したがって、上記第１の発明によれば、表示ラインの数および単位発光領域の開口面積を減らすことなく、不要な消費電力の発生を防止することが出来る。
【００２３】
また、この背中合わせに位置する行電極の電極本体部の間の間隔を従来のものと等しくした場合には、表示ラインのピッチを縮小して表示ライン数を増加することにより画像の高精細化を図ることが出来、また、単位発光領域の開口面積を増加させることによって画像の輝度を増加させることも可能になる。
【００２７】
第２の発明によるプラズマディスプレイパネルは、前記目的を達成するために、第１の発明の構成に加えて、前記一方の基板の内面側の各単位発光領域に対向する部分に誘電体層との間に位置する中間層が形成されて、前記凹部が、列方向に隣接する中間層の間の隙間によって構成されるとともに、この中間層上に各行電極対が形成されていることを特徴としている。
【００２８】
この第２の発明によれば、一方の基板の内面側の単位発光領域に対向する部分に、例えば感光性ガラスペーストを塗布してフォトリソ法により成形するなどの方法により、誘電体層との間に中間層が形成され、この中間層上に行電極対が形成される。
【００２９】
そして、この列方向に隣接する中間層の間に、非発光領域に対向する凹部が形成されて、この凹部の側面に沿って行電極の電極本体部が一方の基板の厚み方向に立ち上がる方向に形成される。
【００３０】
第３の発明によるプラズマディスプレイパネルは、前記目的を達成するために、第１の発明の構成に加えて、前記凹部が、一方の基板の内面部分が切削されることによって形成されることを特徴としている。
【００３１】
この第３の発明によれば、一方の基板の内面部分の列方向に隣接する単位発光領域の間の非表示領域に対向する部分が切削され、これによって凹部が形成される。
【００３２】
そして、一方の基板の内面側の単位発光領域に対向する部分に行電極対がそれぞれ形成されて、列方向に隣接する行電極対間において背中合わせに位置する行電極の互いに対向する電極本体部が、この凹部の側面に沿って一方の基板の厚み方向に立ち上がる方向に形成される。
【００３３】
第４の発明によるプラズマディスプレイパネルは、前記目的を達成するために、第１の発明の構成に加えて、前記凹部の両側面が、それぞれ一方の基板の厚み方向に対してほぼ平行向きに延びていることを特徴としている。
【００３４】
この第４の発明によれば、凹部の両側面がそれぞれ一方の基板の厚み方向に対してほぼ平行向きに延びるように、すなわち、この凹部の横断面が略矩形になるように形成されて、他の行電極対の行電極と対向する行電極の電極本体部が、この凹部の一方の基板の厚さ方向と平行な内側面に沿って延びるようにそれぞれ形成されるので、この行電極の電極本体部の一方の基板の表示面側から見た設置面積をさらに小さく出来、その分だけ、互いに対向する行電極の電極本体部間の間隔がさらに広がる。
【００３５】
これによって、非表示領域における放電の発生の防止効果が向上し、行電極の電極本体部間に形成される静電容量もさらに減少して、不要な消費電力の発生をさらに有効に防止することが出来るようになる。
【００３６】
第５の発明によるプラズマディスプレイパネルは、前記目的を達成するために、第１の発明の構成に加えて、前記凹部の両側の側面が、一方の基板内にくさび状に切り込まれる方向に延びていることを特徴としている。
【００３７】
この第５の発明によれば、凹部が、その両側の側面が一方の基板内にくさび状に切り込まれた形状、すなわち、横断面が奥部ほど幅が広がる略台形形状に形成されていることによって、この凹部の両側の側面に沿ってそれぞれ形成される行電極の電極本体部の間の間隔が凹部の奥部に行くほど広がり、これによって、非表示領域における放電の発生の防止効果がさらに向上し、行電極の電極本体部間に形成される静電容量もさらに減少して、不要な消費電力の発生をさらに防止することが出来るようになる。
【００３８】
【発明の実施の形態】
以下、この発明の最も好適と思われる実施の形態について、図面を参照しながら詳細に説明を行う。
【００３９】
図１ないし３は、この発明によるプラズマディスプレイパネル（以下、ＰＤＰという）の実施形態の第１の例を示すものであって、図１はこの第１の例におけるＰＤＰを模式的に示す正面図であり、図２は図１のＶ１−Ｖ１線における断面図、図３は図１のＷ１−Ｗ１線における断面図である。
【００４０】
この図１ないし３において、表示面である前面ガラス基板１０の背面の後述する放電セルＣにそれぞれ対向する位置に、行方向に延びる帯状の中間ガラス基板１１が、列方向（図１の上下方向）に所要の間隔を開けて並列するように複数形成されている。
【００４１】
この中間ガラス基板１１は、前面ガラス基板１０の背面に塗布された感光性ガラスペーストをフォトリソ法によって成形することにより形成される。
【００４２】
中間ガラス基板１１の背面側には、それぞれ一対ずつの行電極対（Ｘ，Ｙ）が、前面ガラス基板１０の行方向（図１の左右方向）に延びるように平行に配列されており、この各一対の行電極ＸとＹによって、それぞれ、マトリクス表示の一表示ライン（行）が構成されている。
【００４３】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂとによって構成されている。
【００４４】
そして、透明電極Ｘａが、中間ガラス基板１１のそれぞれの一方の側縁部（図示の例では右側縁部）から中央部に向かって延びるように形成され、バス電極Ｘｂが、その外縁部が隣接する中間ガラス基板１１との間に形成される行方向に延びる凹溝ｈ内に嵌り込んだ状態で、それぞれの中間ガラス基板１１の一方の側縁部（図示の例では右側縁部）に沿って延びるように形成されている。
【００４５】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂとによって構成されている。
【００４６】
そして、透明電極Ｙａが、中間ガラス基板１１のそれぞれの他方の側縁部（図示の例では左側縁部）から中央部に向かって延びるように形成され、バス電極Ｙｂが、その外縁部が凹溝ｈ内に嵌り込んだ状態で、それぞれの中間ガラス基板１１の他方の側縁部（図示の例では左側縁部）に沿って延びるように形成されている。
【００４７】
各行電極対（Ｘ，Ｙ）において、それぞれバス電極ＸｂとＹｂに沿って並列されて互いに対となる相手の行電極側に延びる透明電極ＸａとＹａの幅広部の頂辺が、所要の幅の放電ギャップｇを介して互いに対向されている。
【００４８】
そして、バス電極ＸｂとＹｂは、それぞれ、凹溝ｈ内に嵌り込んだ状態で形成されていることによって、中間ガラス基板１１の側面に沿って前面ガラス基板１０の厚さ方向（図２において上下方向）に立ち上がった状態で配置され、隣接する行電極対（Ｘ，Ｙ）間において背中合わせに位置するバス電極ＸｂとＹｂが、各中間ガラス基板１１の間の凹溝ｈ内において互いに対向されている。
【００４９】
前面ガラス基板１０および中間ガラス基板１１の背面には、行電極対（Ｘ，Ｙ）を被覆するように誘電体層１２が形成されており、さらに、この誘電体層１２の背面側の背中合わせに位置するバス電極ＸｂとＹｂおよび凹溝ｈに対向する部分に、それぞれ、行方向に延びる所要の幅の嵩上げ誘電体層１２Ａが形成されている。
そして、ＭｇＯからなる図示しない保護層が形成されている。
【００５０】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００５１】
背面ガラス基板１３の表示側の面上には、さらに、列電極Ｄを被覆する列電極保護層１４が形成され、この列電極保護層１４上に、隔壁１５が形成されている。
【００５２】
この隔壁１５は、互いに平行に配列された各列電極Ｄの間の位置において列方向に延びる縦壁１５ａと、行電極Ｘ，Ｙのバス電極Ｘｂ，Ｙｂとそれぞれ対向する位置において行方向に延びる横壁１５ｂとによって梯子状に形成されており、この梯子状の隔壁１５によって、前面ガラス基板１０と背面ガラス基板１３の間の放電空間が、各行電極対（Ｘ，Ｙ）において対となった透明電極ＸａとＹａに対向する部分毎に方形に区画されて、マトリクス状に配置される放電セルＣが形成されている。
【００５３】
この梯子状の隔壁１５は、隣接する隔壁１５間の互いに背中合わせに位置する横壁１５ｂの間が離間されていて、この背中合わせに位置する横壁１５ｂの間に、行方向に延びる隙間ＳＬが形成されている。
【００５４】
そして、この隔壁１５の横壁１５ｂは、その先端面が嵩上げ誘電体層１２Ａの背面側に当接されている。
【００５５】
各放電セルＣに面する隔壁１５の縦壁１５ａおよび横壁１５ｂの内側面と列電極保護層１４の表面には、これらの五つの面を全て覆うように蛍光体層１６が形成されていて、この蛍光体層１６の色が、各放電セルＣ毎に、行方向に沿って赤，緑，青の色が順に並ぶようにそれぞれ色分けされている。
そして、放電セルＣ内には、放電ガスが封入されている。
【００５６】
このＰＤＰにおいて、行電極対（Ｘ，Ｙ）の一方の行電極と列電極Ｄとの間でアドレス放電が行われ、次いで、行電極対（Ｘ，Ｙ）の行電極ＸとＹに交互に放電維持パルスが印加されて、アドレス放電によって誘電体層１２に壁電荷が形成された放電セルＣ（発光セル）において行電極Ｘ，Ｙ間で維持放電が発生され、それぞれの発光セルにおいて蛍光体層１６が発光することにより、映像信号に対応した画像がパネル面に形成される。
【００５７】
ここで、上記ＰＤＰは、隣接する行電極対（Ｘ，Ｙ）間において背中合わせに位置する行電極ＸとＹのバス電極ＸｂとＹｂが、それぞれ、凹溝ｈ内において中間ガラス基板１１の側面に沿って前面ガラス基板１０の厚さ方向に立ち上がった状態で配置されて、この凹溝ｈを介して互いに対向するバス電極ＸｂとＹｂの間隔が、同じ数の表示ラインＬおよび同じ開口面積の放電セルＣを有する従来のＰＤＰと比較して、バス電極Ｘｂ，Ｙｂが立ち上がっている分だけ広がっている。
【００５８】
このため、維持放電が発生される際に、隣接する行電極対（Ｘ，Ｙ）間において背中合わせに位置するバス電極ＸｂとＹｂの間に電位差が生じても、このバス電極ＸｂとＹｂの間に放電が発生するのが防止され、さらに、このバス電極ＸｂとＹｂの間に形成される静電容量も減少されるので、表示ラインの数および放電セルの開口面積を減らすことなく、不要な消費電力の発生を防止することが出来る。
【００５９】
また、この背中合わせに位置するバス電極ＸｂとＹｂの間隔を従来のものと等しくした場合には、表示ラインＬのピッチを縮小して表示ライン数を増加することにより画像の高精細化を図ることが出来、または、放電セルの開口面積を増加させることによって画像の輝度を増加させることが出来る。
【００６０】
図４は、この発明によるＰＤＰの実施形態の第２の例を、上述した第１の例の図２と同一の位置で断面して示す側断面図である。
【００６１】
この第２の例のＰＤＰは、前面ガラス基板２０の背面側の隣接する隔壁１５の背中合わせに位置する横壁１５ｂとその間の隙間ＳＬに対向する部分に、サンドブラスト法などによって、横断面が矩形の凹溝ｈ１が行方向に帯状に延びるように形成されている。
【００６２】
そして、行電極Ｘ１，Ｙ１のバス電極Ｘ１ｂ，Ｙ１ｂが、それぞれ、凹溝ｈ１の内側面に沿って前面ガラス基板２０の厚さ方向と平行な向き（したがって、透明電極Ｘ１ａ，Ｙ１ａに対してそれぞれ垂直な向き）に延びるように形成されている。
【００６３】
このＰＤＰの他の部分の構成は、第１の例のＰＤＰとほぼ同様であり、図４において同一の符号が付されている。
【００６４】
この第２の例のＰＤＰは、凹溝ｈ１の横断面が矩形になるように形成されて、バス電極Ｘ１ｂ，Ｙ１ｂが、凹溝ｈ１の前面ガラス基板２０の厚さ方向と平行な内側面に沿ってそれぞれ延びるように形成されているので、バス電極Ｘ１ｂおよびＹ１ｂの前面ガラス基板２０の表示面側から見た設置面積が、第１の例と比べてさらに小さくなり、その分だけバス電極Ｘ１ｂとＹ１ｂの間隔がさらに広がる。
【００６５】
これによって、維持放電が発生される際に、隣接する行電極対（Ｘ１，Ｙ１）間において背中合わせに位置するバス電極Ｘ１ｂとＹ１ｂの間における対向放電の発生の防止効果が向上し、さらに、このバス電極Ｘ１ｂとＹ１ｂの間に形成される静電容量もさらに減少して、不要な消費電力の発生をさらに防止することが出来るようになる。
【００６６】
また、表示ライン数を増加することによる画像の高精細化や、放電セルの開口面積を増加させることによる画像の輝度の増加を図ることが出来るようになる。
【００６７】
図５は、この発明によるＰＤＰの実施形態の第３の例を、前述した第１の例の図２と同一の位置で断面して示す側断面図である。
【００６８】
この第３の例のＰＤＰは、前面ガラス基板３０の背面側の隣接する隔壁１５の背中合わせに位置する横壁１５ｂとその間の隙間ＳＬに対向する部分に、第２の例の場合と同様にサンドブラスト法などによって行方向に帯状に延びるように形成された凹溝ｈ２の横断面が、その側壁面が前面ガラス基板３０内にくさび状に切り込まれることによって、台形形状になるように成形されている。
【００６９】
そして、行電極Ｘ２，Ｙ２のバス電極Ｘ２ｂ，Ｙ２ｂが、それぞれ、凹溝ｈ２の前面ガラス基板３０内にくさび状に切り込まれて傾斜した側壁面に沿って延びるように形成されることによって、凹溝ｈ２内におけるバス電極Ｘ２ｂとＹ２ｂの間隔が前面ガラス基板３０の前面側（図５の上側）に行くほど広がっている。
【００７０】
このＰＤＰの他の部分の構成は、第１の例のＰＤＰとほぼ同様であり、図４において同一の符号が付されている。
【００７１】
この第３の例のＰＤＰによれば、凹溝ｈ２内におけるバス電極Ｘ２ｂとＹ２ｂの間隔が第２の例の場合よりもさらに広がって、維持放電の際の対向放電の発生がさらに防止され、バス電極Ｘ２ｂとＹ２ｂの間に形成される静電容量もさらに減少して、不要な消費電力の発生がさらに防止されるようになる。
【図面の簡単な説明】
【図１】この発明の第１の例を模式的に表す正面図である。
【図２】図１のＶ１−Ｖ１線における断面図である。
【図３】図１のＷ１−Ｗ１線における断面図である。
【図４】この発明の第２の例を示す側断面図である。
【図５】この発明の第３の例を示す側断面図である。
【図６】従来のＰＤＰの構成を模式的に表す正面図である。
【図７】図６のＶ−Ｖ線における断面図である。
【図８】図６のＷ−Ｗ線における断面図である。
【符号の説明】
１０，２０，３０      …前面ガラス基板（一方の基板）
１１                  …中間ガラス基板（中間層）
１２                  …誘電体層
１２Ａ                …嵩上げ誘電体層
１３                  …背面ガラス基板（他方の基板）
１４                  …列電極保護層
１５                  …隔壁
１５ａ                …縦壁
１５ｂ                …横壁
１６                  …蛍光体層
Ｘ，Ｘ１，Ｘ２        …行電極
Ｘａ，Ｘ１ａ，Ｘ２ａ  …透明電極
Ｘｂ，Ｘ１ｂ，Ｘ２ｂ  …バス電極
Ｙ，Ｙ１，Ｙ２        …行電極
Ｙａ，Ｙ１ａ，Ｙ２ａ  …透明電極
Ｙｂ，Ｙ１ｂ，Ｙ２ｂ  …バス電極
Ｄ                    …列電極
Ｃ                    …放電セル（単位発光領域）
Ｌ                    …表示ライン
ｈ，ｈ１，ｈ２        …凹溝（凹部）
ＳＬ                  …隙間
【図１】
0003960813.tif 000002
【図２】
0003960813.tif 000003
【図３】
0003960813.tif 000004
【図４】
0003960813.tif 000005
【図５】
0003960813.tif 000006
【図６】
0003960813.tif 000007
【図７】
0003960813.tif 000008
【図８】
0003960813.tif 000009